(57)【要約】【課題】  使用位置としたときの座板と連結杆との衝撃を緩和しうるとともに、ネスティング時の座板や連結杆等の傷付きを防止することができ、しかも構造を簡素化しうるようにした椅子を提供する。【解決手段】  脚体２に設けられた左右方向に向く座板支持杆２ｃに座板４を回動自在に取り付け、使用時に該座板４を座板支持杆２ｃの前部に設けられた連結杆２ｄに当接させ、収納時に上方に回動させるようにした椅子において、連結杆２ｄにおける座板４が使用位置としたときに当接する部位であって、かつ座板４を上向きの収納位置に位置させた同一の複数の椅子を前後に重ねて収納するネスティング時に、前方の椅子の座板４が当接する部位に、緩衝材１９を設ける。【選択図】  図３
2005218535.tif 000002
【特許請求の範囲】
【請求項１】
脚体に設けられた左右方向に向く座板支持杆に座板を回動自在に取り付け、使用時に該座板を前記座板支持杆の前部に設けられた連結杆に当接させ、収納時に上方に回動させるようにした椅子において、
前記連結杆における座板が使用位置としたときに当接する部位であって、かつ座板を上向きの収納位置に位置させた同一の複数の椅子を前後に重ねて収納するネスティング時に、前方の椅子の座板が当接する部位に、緩衝材を設けたことを特徴とする椅子。
【請求項２】
緩衝材を、ほぼＣ字状の弾性体により形成し、該緩衝材を連結杆に着脱自在に嵌合させたことを特徴とする請求項１記載の椅子。
【請求項３】
座板の裏面に補強杆を取り付け、該補強杆を、連結杆に取り付けた緩衝材に当接させるようにしたことを特徴とする請求項１または２記載の椅子。
【発明の詳細な説明】
【技術分野】
【０００１】
本発明は、座板を、ほぼ水平の使用位置と、ほぼ垂直の収納位置とに回動可能とした椅子に関する。
【背景技術】
【０００２】
従来、この種の座板が回動できる椅子は、折畳み収納や、ネスティング収納に便利であるため、広く用いられている。すなわち、左右の後脚間に座板を回動自在に取り付け、座板を、使用位置と収納位置とに回動可能としている（例えば、特許文献１参照）。
【特許文献１】特開２００１−１２８７７５号公報
【発明の開示】
【発明が解決しようとする課題】
【０００３】
しかし、特許文献１に記載されているような折畳み椅子では、使用位置に座板を回動させた際、座板と連結杆との衝突により衝撃音が発するだけでなく、連結杆および座板裏面に傷が付くおそれがあった。また、各座板を上方に回動させて複数の同一構造の椅子を前後方向に重ねて収納する、いわゆるネスティング収納の際も、前部の椅子の座板の表面が連結杆等に衝突し、座板の表面に傷が付いたり、その表面に設けたクッション材のクッション性が悪くなる等のおそれがあった。
【０００４】
本発明は、従来の技術が有する上記のような問題点に鑑み、使用位置としたときの座板と連結杆との衝撃を緩和しうるとともに、ネスティング時の座板や連結杆等の傷付きを防止することができ、構造を簡素化しうるようにした椅子を提供することを目的としている。
【課題を解決するための手段】
【０００５】
本発明によると、上記課題は、次のようにして解決される。
(１) 脚体に設けられた左右方向に向く座板支持杆に座板を回動自在に取り付け、使用時に該座板を前記座板支持杆の前部に設けられた連結杆に当接させ、収納時に上方に回動させるようにした椅子において、前記連結杆における座板が使用位置としたときに当接する部位であって、かつ座板を上向きの収納位置に位置させた同一の複数の椅子を前後に重ねて収納するネスティング時に、前方の椅子の座板が当接する部位に、緩衝材を設ける。
【０００６】
(２)上記(１)項において、緩衝材を、ほぼＣ字状の弾性体により形成し、該緩衝材を連結杆に着脱自在に嵌合させる。
【０００７】
(３)上記(１)または(２)項において、座板の裏面に補強杆を取り付け、該補強杆を、連結杆に取り付けた緩衝材に当接させる。
【発明の効果】
【０００８】
(ａ)請求項１記載の発明によれば、座板が当接する連結杆の当接部分に緩衝材を取り付けたので、使用位置に回動させた際の座板と連結杆との衝撃を緩和し、衝撃音の抑制および座板や連結杆の傷付きを防止することができるとともに、ネスティングの際には、緩衝材が前部の椅子の座板に当接して当接時の衝撃を緩和し、衝撃音の抑制および座板や連結杆の傷付きを防止するとともに、クッション材のクッションの悪化を防止できる。
また、単一の緩衝材で、上記の２つの機能を果たすことができるので、部品点数の削減と構造の簡素化を図ることができる。
【０００９】
(ｂ)請求項２記載の発明によれば、緩衝材を、断面ほぼＣ字状の弾性体により形成し、該緩衝材を連結杆に着脱自在に嵌合させたので、緩衝材が摩耗損傷した際は簡単に交換することができる。
【００１０】
(ｃ)請求項３記載の発明によれば、座板の裏面に取り付けた補強杆を緩衝材に当接させるようにしたので、座板が直接緩衝材に当接することがなく、座板の摩耗や損傷を防止しうるとともに、補強杆も緩衝の役目をはたし、緩衝効果がより向上し、座板への衝撃を緩和することができる。
【発明を実施するための最良の形態】
【００１１】
図１は、本発明の一実施形態の椅子の側面図、図２は、同じく、折畳み時の側面図、図３は、同じく、折畳み時の椅子を前方から見た斜視図である。
同図に示すように、この椅子(Ａ)は、キャスタ(１)付きの脚体(２)と、背もたれ(３)と、座板(４)とを備えている。
【００１２】
脚体(２)は、前傾する左右１対の後杆(2a)(2a)と、後杆(2a)(2a)の上端部付近の前部に、上端部が固着された後傾する左右１対の前杆(2b)(2b)と、左右の前杆(2b)(2b)の上端部付近に取り付けられた左右方向を向く座板支持杆(2c)およびその前方の連結杆(2d)とを備えている。座板は、座板支持杆(2c)に回動自在に支持され、使用時には、図１に示すように、連結杆(2d)に当接し、折畳み時には、図２に示すように、上方に回動して背もたれ(３)に当接または近接するようになっている。
【００１３】
座板(４)は、外周縁に下向の座フレーム部(５)を備える座プレート(６)と、座プレート(６)の表面側に取り付けられたクッション材(７)と、座プレート(６)の裏面側に縦横に取り付けられた低寸の補強リブ(８)と、左右外側寄りに取り付けられた２枚一組の高寸の補強リブ(９)とを備えている。
座板(４)の裏面には、補強リブ(９)に相対向して、前後方向を向く左右２個の補強杆(10)が取り付けられている。
【００１４】
図４は、補強杆の分解斜視図、図５は、補強杆の縦断側面図、図６は、図５のＶI矢視図、図７は、図３の円部VIIの一部を破断して示す拡大斜視図である。
【００１５】
補強杆(10)は、弾性を有する硬質合成樹脂材料で形成されたもので、先端（図５の左端）に行くにしたがって徐々に肉厚が小さくなる断面角形の本体部(10a)を有し、図４に示すように、両側面の上縁に側部突出縁(10b)が、前後両端部には前部突出縁(10c)および下部突出縁(10d)が各々形成され、下面には、浅い凹部(10e)（図５参照）と、複数の取付孔(10f)とが形成されている。補強杆(10)は、取付孔(10f)から挿入される止ねじ(図示せず)をもって、座プレート(６)のボス(６a)にねじ止めされている。
【００１６】
図４に示すように、金属カバー部材(12)は、補強杆(10)の側部突出縁(10b)、前部突出縁(10c)および後部突出縁(10d)に沿う形状の側板(12a)を有する断面チャンネル状のもので、この金属カバー部材(12)が補強杆(10)の本体部(10a)の凹部(10e)に嵌め込まれ、止ねじ(11)をもって、本体部(10a)に固定されている。これにより、補強杆(10)の本体部(10a)の両側面および背面が金属カバー部材(12)により覆われ、補強されている。
【００１７】
図４および図５に示すように、補強杆(10)の基部には、座板(15)の裏面側に開口部(13a)を有するＵ字状の軸受孔(13)が形成されている。軸受孔(13)の開口部(13a)は補強リブ(９)に対向しており、軸受孔(13)と補強リブ(９)との間に座板支持杆(2c)が挾持され、これにより、座板(４)は座板支持杆(2c)を中心に回動できるようになっている。
【００１８】
図５および図６に示すように、補強杆(10)の基部（後部）には、軸受孔(13)と交差するように表裏に連通するスリット(14)が形成されている。このスリット(14)の両側壁面には、断面弧状に盛り上がった上下方向を向く第１の弾性リブ(15)が座板(５)の裏面側に向けて形成され、この第１の弾性リブ(15)とほぼ直角をなす位置に、補強杆(10)の長手方向とほぼ平行に延びる第２の弾性リブ(16)が形成されている。座板支持杆(2c)の外周面には、スリット(14)内に突入するようにピン(17)が突設されている。
【００１９】
図２に示すように、座板(５)を上方に回動させると、第１の弾性リブ(15)がピン(17)と接触しながらそれを乗り越えていき、図７に示すように、ピン(17)は節度作用により第１の弾性リブ(15)とスリット(14)の後壁との間の凹溝(18)に落ち込む。これにより、座板(５)は、ピン(17)と第１の弾性リブ(15)との係合により、上方を向く収納位置に安定して保持され、その位置からみだりに動くことはない。
【００２０】
椅子の使用時には、図１に示すように、座板(５)をほぼ水平の使用位置まで回動させて、補強杆(10)の下面を前部の連結杆(2d)に当接させる。この際には、図５に示すように、第２の弾性リブ(16)がピン(17)を乗り越え、ピン(17)の下側面に係合する。したがって、例えば、椅子から立ち上がった際等に座板(５)が跳ね上がるのが防止される。ただし、静止時には、座板(５)はその重力で前部の連結杆(2d)に載置された状態を保っているので、第２の弾性リブ(15)は必ずしも設けなくてもよい。
【００２１】
上記実施形態では、弾性リブ(15)(16)をスリット(14)の両側面に形成しているが、片面だけでもよい。また、補強杆(10)を座板(４)の補強杆と兼用しているが、これに限定されず、例えば、支持専用の部材を、座フレーム(５)あるいは座プレート(６)等の任意の箇所に固着した構造でもよい。
【００２２】
連結杆(2d)には、座板(４)を使用位置に回動させたとき補強杆(10)が当たる個所、図示の例では２個所に緩衝材(19)が取り付けられている。緩衝材(19)は、合成樹脂材からなる断面ほぼＣ字状のもので、その弾性を利用して連結杆(2d)に着脱自在に嵌合されている。
【００２３】
図１に示すように、座板(４)を使用位置に回動させると、補強杆(10)が緩衝材(19)を介して連結杆(2d)に衝突するため、衝撃音が減少するとともに、連結杆(2d)および補強杆(10)を傷つけることが防止される。
【００２４】
図８は、座板(４)を収納位置に回動させた、同一構造の複数の椅子をネスティングしたときの側面図である。椅子のネスティングを行うと、前部の椅子(A1)の座板(４)の表面（座席面）が後部の椅子(A2)の連結杆(2d)に緩衝材(19)を介して衝突するため、衝撃音が減少するとともに、連結杆(2d)および座板(４)を傷付けたり、クッション材(７)のクッションが悪化するのを防止できる。
【００２５】
上記実施形態では、座板(４)が直接緩衝材(19)に当接することがないようにしたので、座板(４)の摩耗や損傷を防止しうるとともに、合成樹脂製の補強杆(10)も緩衝の役目を果たし、より緩衝効果が向上する。しかし、座板(４)の裏面が直接緩衝材(19)に当接する構造としても、十分な効果が期待できる。
【図面の簡単な説明】
【００２６】
【図１】本発明の一実施形態の使用状態の側面図である。
【図２】同じく、折畳み時の側面図である。
【図３】同じく、折畳み時の椅子を前方から見た斜視図である。
【図４】同じく、支持部材の分解斜視図である。
【図５】同じく、支持部材の縦断側面図である。
【図６】同じく、図５のＶI矢視図である。
【図７】同じく、図３の円部VIIの一部を破断して示す拡大斜視図である。
【図８】同じく、ネスティング時の側面図である。
【符号の説明】
【００２７】
(Ａ)(A1)(A2)椅子
(１)キャスタ
(２)脚体
(2a)後杆
(2b)前杆
(2c)座板支持杆
(2d)連結杆
(３)背もたれ
(４)座板
(５)座フレーム部
(６)座プレート
(6a)ボス
(７)クッション材
(８)補強リブ
(９)補強リブ
(10)補強杆
(10a)本体部
(10b)側部突出縁
(10c)前部突出縁
(10d)後部突出縁
(10f)取付孔
(11)止ねじ
(12)金属製カバー部材
(13)軸受孔
(13a)開口部
(14)スリット
(15)第１の弾性リブ
(16)第２の弾性リブ
(17)ピン
(18)凹溝
(19)緩衝材
【図１】
2005218535.tif 000003
【図２】
2005218535.tif 000004
【図３】
2005218535.tif 000005
【図４】
2005218535.tif 000006
【図５】
2005218535.tif 000007
【図６】
2005218535.tif 000008
【図７】
2005218535.tif 000009
【図８】
2005218535.tif 000010